(57)【特許請求の範囲】
【請求項１】
被験試料中に存在するアナライトの量を蛍光偏光免疫測定法により定量する方法であって、アナライトを含有する臨床試料または試薬混合物中のアナライトを、１，１０−フェナントロリン、８−ヒドロキシ−７−ヨード−５−キノリン、およびこれらの塩よりなる群から選択される少なくとも１つの化合物に接触させる、あるいは、ナフタレン１−スルホン酸もしくはその塩と１，１０−フェナントロリンもしくはその塩、またはナフタレン−１−スルホン酸もしくはその塩と８−ヒドロキシ−７−ヨード−５−キノリンもしくはその塩の組合せに接触させる、上記方法。
【請求項２】
バックグランドの妨害が低下した被験試料中の標的アナライトのための蛍光偏光免疫測定法であって、アナライト含有臨床試料またはアナライト含有試薬混合物を、１，１０−フェナントロリン、８−ヒドロキシ−７−ヨード−５−キノリン、およびこれらの塩よりなる群から選択される少なくとも１つの化合物の有効量に接触させる、あるいは、ナフタレン１−スルホン酸もしくはその塩と１，１０−フェナントロリンもしくはその塩、またはナフタレン−１−スルホン酸もしくはその塩と８−ヒドロキシ−７−ヨード−５−キノリンもしくはその塩の組合せの有効量に接触させる、上記方法。
【請求項３】
アナライトの回収率が改良された被験試料中の標的アナライトのための蛍光偏光免疫測定法であって、アナライト含有臨床試料またはアナライト含有試薬混合物を、１，１０−フェナントロリン、８−ヒドロキシ−７−ヨード−５−キノリン、およびこれらの塩よりなる群から選択される少なくとも１つの化合物の有効量に接触させる、あるいは、ナフタレン１−スルホン酸もしくはその塩と１，１０−フェナントロリンもしくはその塩、またはナフタレン−１−スルホン酸もしくはその塩と８−ヒドロキシ−７−ヨード−５−キノリンもしくはその塩の組合せの有効量に接触させる、上記方法。
【請求項４】
被験試料は、血清、血漿または尿から選択される、請求項１〜３のいずれか１項に記載の方法。
【請求項５】
被験試料中のアナライトの定量のための蛍光偏光免疫測定法を実施するための試薬のセットであって、１，１０−フェナントロリン、８−ヒドロキシ−７−ヨード−５−キノリン、およびこれらの塩、よりなる群から選択される少なくとも１つの化合物、および随時ナフタレン−１−スルホン酸を含有する上記試薬セット。
【請求項６】
請求項５記載の試薬のセットであって、
１）約０．５％〜約２％の範囲のドデシル硫酸リチウム；
２）約１０％〜約３０％の範囲のヒドロキシプロピルベータシクロデキストリン；
３）約０．０６％〜約０．２５％の範囲の１，１０−フェナントロリン；および
４）約０．０９％〜約３．０％の範囲のアルカリ金属アジド、
を含む、上記試薬セット。
【請求項７】
約０．７５％〜約５％の範囲のナフタレン−１−スルホン酸をさらに含む、請求項６記載の試薬セット。
【請求項８】
アルカリ金属アジドはアジ化ナトリウムである、請求項６または７記載の試薬セット。
【請求項９】
０．８５％のナフタレン−１−スルホン酸、２０％のヒドロキシプロピルベータシクロデキストリンのナトリウム塩、０．２０％の１，１０−フェナントロリン一水塩、１．２５％のドデシル硫酸リチウム塩、および０．０９％のアジ化ナトリウムをほぼ含有する単一の試薬である、請求項８記載の試薬セット。
【発明の詳細な説明】
【０００１】
本発明は、蛍光偏光免疫測定法においてバックグランド蛍光強度または内因性蛍光を低下させる方法、従って妨害を低下させる方法およびアナライトの回収率を改良する方法に関する。バックグランド蛍光強度の１つの原因は、被験試料中の特定の標的アナライト（例えば、薬剤活性を有する物質または化合物、例えば治療用薬剤）の濃度を定量するために分析される被験試料（例えば臨床試料）中のビリルビン（主に結合したもの）の存在である。蛍光偏光免疫測定法において、１，１０−フェナントロリン、８−ヒドロキシ−７−ヨード−５−キノリンおよびナフタレン−１−スルホン酸、およびこれらの塩（本明細書において、以後「添加物」と呼ぶ）よりなる群からの１つまたはそれ以上の化合物を、試料、試薬混合物または標的アナライトを含有する試薬混合物に加えると、バックグランド強度または蛍光が有効に低下することが、発見された。加えて、アナライトの回収率が改善された。バックグランド蛍光の低下と回収率の改良は、蛍光偏光測定法で得られる結果の正確度を上昇させる。さらに本発明の方法は、蛍光偏光測定法の性能に悪影響を与えない。
【０００２】
蛍光偏光免疫測定法（ＦＰＩＡ）は、均一測定系において特異的抗体への結合について試料中の未標識アナライトと競合するために、特別に作成した蛍光色素、例えばフルオレセイン標識アナライト（以後、トレーサーまたは蛍光結合体と呼ぶ）を使用する。蛍光偏光免疫測定法の原理は、ダブリュー・ビー・ダンドリカー（Ｗ．Ｂ．Ｄａｎｄｌｉｋｅｒ）とＹＳ／２３．０４．９８  ジー・エー・フェイゲン（Ｇ．Ａ．Ｆｅｉｇｅｎ）「蛍光偏光による抗原−抗体反応の定量（Ｑｕａｎｔｉｆｉｃａｔｉｏｎ  ｏｆ  ｔｈｅ  Ａｎｔｉｇｅ−Ａｎｔｉｂｏｄｙ  Ｒｅａｃｔｉｏｎ  ｂｙ  ｔｈｅ  Ｐｏｌａｒｉｚａｔｉｏｎ  ｏｆ  Ｆｌｕｏｒｅｓｃｅｎｃｅ）」、Ｂｉｏｐｈｙｓ．Ｂｉｏｃｈｅｍ．Ｒｅｓ．Ｃｏｍｍ．５：２９９（１９８１））により記載された。この測定法は、フルオレセイン標識アナライトの小分子が結合していない時、これは自由に回転するが、フルオレセイン標識アナライトが大きな抗体分子に結合している時は、自由な回転が大幅に制限されるという原理に依存する。トレーサーの回転の程度は、溶液中の結合したフルオレセイン標識アナライトと遊離のフルオレセイン標識アナライトの水平および垂直蛍光強度から計算される値である蛍光偏光に、逆比例で示される。蛍光偏光値（ｍＰ）は、以下の式の測定された偏光蛍光強度を使用して決定される：
【０００３】
【式１】
ｍＰ＝（（Ｔh −Ｂh ）−（Ｔv −Ｂv ））／（（Ｔh −Ｂh ）＋（Ｔv −Ｂv ））
Ｔh ：水平試験強度
Ｔv ：垂直試験強度
Ｂh ：水平バックグランド強度
Ｂv ：垂直バックグランド強度
【０００４】
後述するように、カリブレーターの蛍光偏光値を使用して、まず標準曲線が作成される。試料の蛍光偏光値を標準曲線に対して読むと、アナライトの濃度が決定される。
【０００５】
フルオレセイン標識物は当該分野で公知であり、例えば５−［（４，６−ジクロロトリアジン−２−イル−アミノ］フルオレセインおよびフルオレセインイソチオシアネートがある。
【０００６】
分析の正確度を上げるために、測定法のバックグランド蛍光をできるだけ小さくすることが好ましい。正確度を上げるために、蛍光偏光値の計算において試験強度はバックグランド強度でも補正されることに注意されたい。しかしバックグランド強度は、測定の間必ずしもいつも一定ではない。バックグランド強度がトレーサーの強度に比較して比較的小さい場合は、蛍光偏光値は、一定しないバックグランド強度値により影響されることはないかも知れない。しかし最初のバックグランド強度（すなわち、上記式中のＢh とＢv 強度値）が高いかおよび／または不安定または変化している時、最終計算が不安定になる。さらに詳しくは、この不安定性は、最終計算に使用される最初のバックグランド強度値（すなわち、Ｂh とＢv ）は、最終のバックグランド強度、または総試験強度（すなわち、Ｔh とＴv ）が測定される時の実際のバックグランド強度と異なることがある。試験強度は、試料が測定される時の実際のバックグランド強度およびトレーサー強度の水平および垂直成分から構成される。
【０００７】
蛍光偏光免疫測定法において、反応混合物を励起するのに典型的には４７５〜４９５nmの範囲の波長を有する光源が使用される。フルオレセイン標識アナライトは光を吸収すると、１０ナノ秒以内に５０５〜５３０nmの範囲の波長を放出する。
【０００８】
血清、血漿または尿は、それ自体が５１０〜５２０nmの範囲の波長の光を放出し、従って蛍光偏光の測定を妨害する。妨害は、試料中のビリルビンの存在だけに限定されない。ビリルビンレベルの低い試料は、非常に強い蛍光バックグランド強度を発生するか、または５１０〜５２０nmの範囲の光を放出する内因性または外因性化合物を含有することもある。そのような試料は強いバックグランド強度または不安定なバックグランド強度を発生し、蛍光偏光測定法により得られる結果を、診断用途または分析用途には不適当なものにする。すなわち、信頼できる診断用途または分析用途のために、蛍光偏光免疫測定法中のバックグランド強度の低下および／または安定化が必要である。
【０００９】
すべての臨床試料（例えば、血清、血漿、または尿試料）について許容できる結果を与えることができる免疫測定法を得るために、高い蛍光バックグランドまたは不安定な蛍光バックグランドを有するものを含めて、バックグランド強度およびアナライトの回収率に及ぼす種々の添加物の影響が、免疫測定法で検討されている。例えば、米国特許第４，２５２，７８３号および４，４９２，７６２号を参照されたい。
【００１０】
本発明において、１，１０−フェナントロリン、８−ヒドロキシ−７−ヨード−５−キノリン、ナフタレン−１−スルホン酸、またはこれらの塩よりなる群から選択される少なくとも１つの化合物、またはこれらの化合物の組合せを、蛍光偏光測定法で、アナライトを含有する反応混合物中に導入すると、アナライトのバックグランド蛍光の低下および／または改良された回収率のために、測定法の正確度が実質的に上昇することが発見されている。
【００１１】
従って本発明は、被験試料中に存在するアナライトの量を蛍光偏光免疫測定法により定量する方法であって、アナライトを含有する臨床試料または試薬混合物中のアナライトを、１，１０−フェナントロリン、８−ヒドロキシ−７−ヨード−５−キノリン、ナフタレン−１−スルホン酸、およびこれらの塩よりなる群から選択される少なくとも１つの化合物、およびこれらの任意の組合せに接触させる方法に関する。
【００１２】
本発明はまた、バックグランドの妨害が低下したおよび／またはアナライトの回収率が改良されている被験試料中の標的アナライトの蛍光偏光免疫測定法であって、アナライト含有臨床試料またはアナライト含有試薬混合物を、１，１０−フェナントロリン、８−ヒドロキシ−７−ヨード−５−キノリン、ナフタレン−１−スルホン酸、これらの塩よりなる群から選択される少なくとも１つの化合物、およびこれらの任意の組合せの有効量に接触させる方法に関する。
【００１３】
アナライトの「回収率」という用語は、既知量のアナライトが「添加されている」試料（すなわち、アナライトが「加えられている（ｓｐｉｋｅｄ）］試料）中の、アナライトの真の値の正確な測定値を意味する。アナライトの「回収率」は、蛍光偏光測定法の全体の正確度を評価するのに重要なパラメータである。すなわち、１００％の「回収率」は、測定法が試料中のアナライトの真の量の正確な値を与えたことを示す。１００％未満の値は、測定法は、試料中の実際のアナライトの量より少ない量を報告していることを示す。同様に、１００％を超える値は、測定法が、試料中のアナライトの量を実際より多く報告していることを示す。
【００１４】
好ましくは組合わされる選択される化合物は、ナフタレン−１−スルホン酸と１，１０−フェナントロリン、またはナフタレン−１−スルホン酸と８−ヒドロキシ−７−ヨード−５−キノリンである。
【００１５】
１，１０−フェナントロリン、８−ヒドロキシ−７−ヨード−５−キノリン、およびナフタレン−１−スルホン酸の化合物は、その対応する通常の塩を形成し、例えばナフタレン−１−スルホン酸は、例えばリチウム塩またはナトリウム塩を形成する。
【００１６】
本発明はまた、被験試料中のアナライトの定量のための蛍光偏光免疫測定法の実施のための試薬のセットであって、１，１０−フェナントロリン、８−ヒドロキシ−７−ヨード−５−キノリン、およびこれらの塩よりなる群から選択される少なくとも１つの化合物、および随時ナフタレン−１−スルホン酸、を含有する上記試薬セットに関する。
【００１７】
この試薬セットは、
１）約０．５％〜約２％の範囲のドデシル硫酸リチウム；
２）約１０％〜約３０％の範囲のヒドロキシプロピルベータシクロデキストリン；
３）約０．０６％〜約０．２５％の範囲の１，１０−フェナントロリン；および
４）約０．０９％〜約３．０％の範囲のアルカリ金属アジド、
を含む。
【００１８】
アルカリ金属アジドは通常アジ化ナトリウムである。
試薬のセットは好ましくは、約０．７５％〜約５％の範囲のナフタレン−１−スルホン酸をさらに含む。
【００１９】
特に興味のあるそのような試薬セットは、０．８５％のナフタレン−１−スルホン酸、２０％のヒドロキシプロピルベータシクロデキストリンのナトリウム塩、０．２０％の１，１０−フェナントロリン一水塩、１．２５％のドデシル硫酸リチウム塩、および０．０９％のアジ化ナトリウムをほぼ含有する単一の試薬である。
【００２０】
典型的な測定法は以下のように行われる。
【００２１】
試薬混合物
蛍光偏光免疫測定法に使用される本発明の試薬混合物は、典型的には下記の成分Ａ、Ｂ、ＣおよびＤを含む。
【００２２】
成分Ａ：試料
バルビツール酸類またはベンゾジアゼピン類のような化合物（アナライト）の存在について試験される血清、血漿または尿。
【００２３】
成分Ｂ：希釈剤
約０．５％〜約２％の範囲のドデシル硫酸リチウム；約０．７５％〜約５％の範囲またはそれ以上のナフタレン−１−スルホン酸（回収率増強物質）；約０．０６％〜約０．２５％の範囲１，１０−フェナントロリン（バックグランド蛍光低下剤）；約１０％〜約３０％の範囲のヒドロキシプロピルベータシクロデキストリン；約０．０６％〜約０．２５％の範囲の８−ヒドロキシ−７−ヨード−５−キノリン（バックグランド蛍光低下剤）；および約０．０９％〜約３．０％の範囲のアルカリ金属アジド（例えば、アジ化ナトリウム）。
【００２４】
成分Ｃ：抗体試薬
血清バルビツール酸ヒツジ抗血清または血清ベンゾジアゼピンヒツジ抗血清。抗血清は、当業者に公知の従来法によりヒツジで作成する。
【００２５】
成分Ｄ：トレーサー試薬
適当な緩衝液中のフルオレセイン標識バルビツール酸またはフルオレセイン標識ベンゾジアゼピン。
【００２６】
装置
コバス（登録商標）インテグラ（ＣＯＢＡＳ  ＩＮＴＥＧＲＡ）（ロッシュ・ダイアグノスティック・システムズ社（Ｒｏｃｈｅ  Ｄｉａｇｎｏｓｔｉｃ  Ｓｙｓｔｅｍｓ，Ｉｎｃ．）、ブランチブルグ（Ｂｒａｎｃｈｂｕｒｇ）、ニュージャージー州）または蛍光偏光免疫測定法を行うための任意の適当な分析機。
【００２７】
測定を実施するためのプロトコル
抗体試薬、希釈剤、および血清、血漿または尿の試料を、順にキュベットに加える。混合し短時間（コバス（登録商標）インテグラ（ＣＯＢＡＳ  ＩＮＴＥＧＲＡ）で１３２秒）インキュベート後、バックグランド強度を測定する。次にトレーサーを加え、得られる混合物を一定時間（典型的には、コバス（登録商標）インテグラ（ＣＯＢＡＳ  ＩＮＴＥＧＲＡ）で９０秒）インキュベートし、最終試験強度を測定する。
【００２８】
標準曲線の決定
標準曲線と比較してアナライト含量を決定するための、アナライトの標準的濃度（例５と６で後述される）を使用して、標準曲線を作成する。
【００２９】
以下の例は、本発明の異なる実施態様をさらに例示する。
本発明はさらに図１により例示され、これは、血清バックグランド蛍光を低下させるための例１に記載の添加物の能力を示す棒グラフである。
【００３０】
例１ 本発明の添加物を使用する黄疸血清試料中の血清の蛍光の低下
試料：
臨床黄疸血清試料。
希釈剤：
希釈剤１  −  対照：２０％ヒドロキシプロピル−β−シクロデキストリン（ＨＰＣ）、１．２５％ドデシル硫酸リチウム（ＬＤＳ）。
希釈剤２：対照＋０．２％１，１０−フェナントロリン、０．８５％ナフタレン−１−スルホン酸（アルファ）。
希釈剤３：対照＋０．２％８−ヒドロキシ−７−ヨード−５−キノリン。
希釈剤４：対照＋０．２％１，１０−フェナントロリン。
希釈剤５：対照＋０．２％８−ヒドロキシ−７−ヨード−５−キノリン、０．８５％ナフタレン−１−スルホン酸（アルファ）。
【００３１】
抗体試薬：
公知の方法によりノルジアゼパムに対して作成されたポリクローナル抗体。例１〜３では、抗体は現在ロッシュ・ダイアグノスティック・システムズ（Ｒｏｃｈｅ  Ｄｉａｇｎｏｓｔｉｃ  Ｓｙｓｔｅｍｓ）のオンライン（ＯＮＬＩＮＥ）（登録商標）ベンゾジアゼピンアッセイに含有されているものである。
【００３２】
トレーサー試薬：
フルオレセイン標識ノルジアゼパム。
【００３３】
装置：
コバス（登録商標）インテグラ（ＣＯＢＡＳ  ＩＮＴＥＧＲＡ）。
【００３４】
プロトコル：
９０μｌの抗体試薬、４５μｌの試料希釈剤、および１４μｌの試料を、順にキュベットに加えた。混合し短時間インキュベート後（典型的には約１３２秒）、得られる混合物のバックグランド強度を測定した。次に２０μｌのトレーサーを加え、混合物を短時間インキュベート（典型的には９０秒）し、最終試験強度を測定した。得られる測定値を下記の表１に示す。
【００３５】
【表１】
0004115588.tif 000002
【００３６】
結果の要約
表１に示すように、希釈剤２は、バックグランド蛍光を低下させるのに非常に有効である。これは、希釈剤１（対照）と比較して、バックグランド強度／試験強度が低下していることにより証明される。
【００３７】
同様に、対照に８−ヒドロキシ−７−ヨード−５−キノリンを添加した希釈剤３もまた、希釈剤１と比較して血清蛍光を低下させるのに非常に有効であり、ナフタレン−１−スルホン酸（試料希釈剤５）と組合せるとさらに有効となる。
【００３８】
対照に１，１０−フェナントロリンを添加した希釈剤４もまた、希釈剤１と比較すると、バックグランド強度／試験強度を低下させることにより証明されるように、バックグランド蛍光を低下させるのに非常に有効である。
【００３９】
表１に示す結果はまた、図１にグラフで要約されているが、図１の結果において１つの追加の希釈剤（すなわち、０．８５％のナフタレン−１−スルホン酸）が使用され、これは表１に報告していない。
【００４０】
例２ １，１０−フェナントロリンを添加後の臨床黄疸試料からのノルジアゼパムの回収率
試料：
臨床黄疸血清試料に、７μg/mlのストックを７０ ng/mlノルジアゼパムになるように加えた。
希釈剤：
１％ドデシル硫酸リチウム、０．１５％１，１０−フェナントロリン（ＰＡＥ）を含有するまたは含有しない１５％ヒドロキシプロピル−β−シクロデキストリン。
抗体試薬：
ノルジアゼパムに対するポリクローナル抗体。
トレーサー試薬：
フルオレセイン標識ノルジアゼパム。
装置：
コバス（登録商標）インテグラ（ＣＯＢＡＳ  ＩＮＴＥＧＲＡ）。
【００４１】
プロトコル：
９５μｌの抗体試薬、５７μｌの試料希釈剤、および１８μｌの試料を、順にキュベットに加えた。混合し短時間インキュベート後、バックグランド強度を測定した。次に２０μｌのトレーサーを加え、混合物を短時間インキュベートし、最終試験強度を測定した。得られた測定値を表２に示す。
【００４２】
【表２】
0004115588.tif 000003
【００４３】
結果の要約
表２に示すように、１８μｌの黄疸血清試料を使用すると、最後のトレーサーシグナルの６０％までの高いバックグランド強度を生成した（カラム７を参照）。これらのバックグランド強度の高い試料のバックグランド強度は、１，１０−フェナントロリンの添加により７８％の低下まで、非常に抑制（低下）された（カラム９を参照）。しかし、１，１０−フェナントロリンの添加によってさえ３２％を超えるバックグランド強度を示す試料（カラム８、例えば最後の３つを参照）は、診断測定法としては許容できないほど低いノルジアゼパムの血清中の回収率を与えた。これはカラム６（最後の２つ）を参照すると、アナライトの測定された量は１００％よりかなり低いことを意味する。同様に、いくつかの試料（再度カラム６を参照）は、添加したアナライトの過剰の回収率（１００％を超える）を与えた。また、バックグランド蛍光の低下があったが、１，１０−フェナントロリンの使用のみで、これらの試料でアナライトの満足できる分析回収率は得られなかったことに注意されたい。
【００４４】
例３ ナフタレン−１−スルホン酸の添加後の黄疸血清試料からのノルジアゼパムの正確な回収率
試料：
臨床黄疸試料に、１５μg/mlのストックを１５０ ng/mlノルジアゼパムになるように加えた。
希釈剤：
１．２５％ドデシル硫酸リチウム、２０％ヒドロキシプロピル−β−シクロデキストリン、０．８５％ナフタレン−１−スルホン酸を含有するまたは含有しない０．２％１，１０−フェナントロリン。
抗体試薬：
ノルジアゼパムに対するポリクローナル抗体。
トレーサー試薬：
フルオレセイン標識ノルジアゼパム。
装置：
コバス（登録商標）インテグラ（ＣＯＢＡＳ  ＩＮＴＥＧＲＡ）（ロッシュ・ダイアグノスティック・システムズ社（Ｒｏｃｈｅ  Ｄｉａｇｎｏｓｔｉｃ  Ｓｙｓｔｅｍｓ，Ｉｎｃ．）、ブランチブルグ（Ｂｒａｎｃｈｂｕｒｇ）、ニュージャージー州）。
【００４５】
ナフタレン−１−スルホン酸を用いないプロトコル：
９５μｌの抗体試薬、ナフタレン−１−スルホン酸を含有しない４５μｌの試料希釈剤、および１４９５μｌの試料を、順にキュベットに加えた。混合し短時間インキュベート後、バックグランド強度を測定した。次に２０μｌのトレーサーを加え、混合物を短時間インキュベートし、最終試験強度を測定した。
０．８５％ナフタレン−１−スルホン酸を用いるプロトコル：
９０μｌの抗体試薬、０．８５％のナフタレン−１−スルホン酸を含有する４５μｌの試料希釈剤、および１４μｌの試料を、順にキュベットに加えた。混合し短時間インキュベート後、バックグランド強度を測定した。次に２０μｌのトレーサーを加え、混合物を短時間インキュベートし、最終試験強度を測定した。
得られた測定値を表３に示す。
【００４６】
【表３】
0004115588.tif 000004
【００４７】
表３は、ビリルビンを添加した正常ヒト血清中のアナライトの「過剰回収率」の問題を示す。ビリルビンは測定を妨害し、試料中のアナライトの真の含量より多い試験結果を与える。例えば、カラム４に示すように、ナフタレン−１−スルホン酸を添加せずに得られたアナライトの値は、既知の真の値である１００％より実質的に高い。これに対して、ナフタレン−１−スルホン酸を加えると、得られる測定値は、既知の真の値の１００％に確実に近い（カラム５を参照）。
【００４８】
例４ ナフタレン−１−スルホン酸の添加後の黄疸血清試料からのセコバルビタールの正確な回収率
試料：
臨床黄疸試料に、１００μg/mlのストックを１０００ ng/mlセコバルビタールになるように加えた。
希釈剤：
１．２５％ドデシル硫酸リチウム、２０％ヒドロキシプロピル−β−シクロデキストリン、０．８５％ナフタレン−１−スルホン酸を含有するまたは含有しない０．２％１，１０−フェナントロリン。
抗体試薬：
公知の方法に従ってセコバルチバールに対するポリクローナル抗体を作成した。例４と５において、抗体は現在ロッシュ・ダイアグノスティック・システムズ（Ｒｏｃｈｅ  Ｄｉａｇｎｏｓｔｉｃ  Ｓｙｓｔｅｍｓ）のオンライン（ＯＮＬＩＮＥ）（登録商標）セコバルビタールアッセイに含有されているものである。
トレーサー試薬：
フルオレセイン標識セコバルビタール。
装置：
コバス（登録商標）インテグラ（ＣＯＢＡＳ  ＩＮＴＥＧＲＡ）。
【００４９】
ナフタレン−１−スルホン酸を用いないプロトコル：
９５μｌの抗体試薬、ナフタレン−１−スルホン酸を含有しない４５μｌの試料希釈剤、および４μｌの試料を、順にキュベットに加えた。混合し短時間インキュベート後、バックグランド強度を測定した。次に２０μｌのトレーサーを加え、混合物を短時間インキュベートし、最終試験強度を測定した。
０．８５％ナフタレン−１−スルホン酸を用いるプロトコル：
９０μｌの抗体試薬、０．８５％のナフタレン−１−スルホン酸を含有する４５μｌの試料希釈剤、および４μｌの試料を、順にキュベットに加えた。混合し短時間インキュベート後、バックグランド強度を測定した。次に２０μｌのトレーサーを加え、混合物を短時間インキュベートし、最終試験強度を測定した。
これらの測定結果を表４に示す。
【００５０】
【表４】
0004115588.tif 000005
【００５１】
表４はまたフタレン−１−スルホン酸の使用による、添加した試料中のアナライトの「過剰回収率」の補正を例示する。
【００５２】
例５ 血清バルビツール酸測定のための試薬セット（または組合せ）
血清バルビツール酸抗体試薬成分濃度ｐＨ７．５、０．１Ｍ：成分：
１％エチレングリコール、０．０５６％リボフラビン結合タンパク質、０．０９％アジ化ナトリウム、および適当な希釈率または力価のセコバルチバールに対するヒツジ血清を含有する０．１Ｍトリス緩衝液（ｐＨ７．５）。
【００５３】
血清バルビツール酸トレーサー試薬成分濃度ｐＨ８．０、０．１Ｍ：成分：
０．０１％ウシガンマグロブリン、０．０９％アジ化ナトリウム、およびフルオレセインで標識されたセコバルチバールであるトレーサーを含有する０．１Ｍリン酸緩衝液（ｐＨ８）。
【００５４】
希釈剤成分濃度：成分：
０．８５％ナフタレン−１−スルホン酸、２０％ヒドロキシプロピル−β−シクロデキストリンナトリウム塩、０．２０％１，１０−フェナントロリン、１．２５％ドデシル硫酸リチウム塩、０．０９％アジ化ナトリウム。
【００５５】
血清バルビツール酸カリブレーター（標準物質とも呼ぶ）
薬剤を含まない正常ヒト血清に０、０．５、１、２、および４μg/mlのセコバルチバールを添加することによりカリブレーターを調製した。
【００５６】
インキュベーション後に蛍光偏光を読んだ。偏光読み値が変化し、標準曲線の作成が可能になった。同様の方法で未知試料を試験し、アナライト（例えば、バルビツール酸、ベンゾジアゼピンなど）の含量を、標準曲線を使用して計算した。
【００５７】
例６
血清ベンゾジアゼピン測定のための試薬のセット（または組合せ）
血清ベンゾジアゼピン抗体試薬成分濃度ｐＨ７．５、０．１Ｍ：成分：
１％エチレングリコール、０．０５６％リボフラビン結合タンパク質、０．０９％アジ化ナトリウム、および適当な希釈率または力価のベンゾジアゼピンに対するヒツジ血清を含有する０．１Ｍトリス緩衝液（ｐＨ７．５）。
【００５８】
血清ベンゾジアゼピントレーサー試薬成分濃度ｐＨ７．０、０．１Ｍ：成分：
１％エチレングリコール、０．０１％ウシガンマグロブリン、０．０９％アジ化ナトリウム、およびフルオレセインで標識したノルジアゼパムであるトレーサーを含有する０．１Ｍ  ＡＣＥＳ緩衝液（ｐＨ７．０）。
【００５９】
希釈剤成分：
８５％ナフタレン−１−スルホン酸（アルファ）、２０％ヒドロキシプロピル−β−シクロデキストリンナトリウム塩、０．２０％１，１０−フェナントロリン一水塩、１．２５％ドデシル硫酸リチウム塩、０．０９％アジ化ナトリウム。
【００６０】
血清ベンゾジアゼピンカリブレーター
セコバルチバールについて既に記載されているように、０、２５、５０、１００および２００ ng/mlでノルジアゼパムを使用して、正常ヒト血清でカリブレーターを調製した。
【図面の簡単な説明】
【図１】血清バックグランド蛍光を低下させるための添加物の能力を示す棒グラフである。
【図１】
0004115588.tif 000006